(57)【要約】【課題】山形状の傾斜姿勢や折り畳み姿勢に変更や、傾斜姿勢の寝床用敷き板の上に布団を載せて布団干しとして使用でき、傾斜姿勢から折り畳み姿勢への姿勢変更のための操作を容易迅速に行うことができ、さらには人や物が傾斜姿勢の寝床用敷き板にぶつかったときでも、傾斜姿勢を維持できる寝床用敷き板を提供する。【解決手段】ほぼ同じ大きさの二枚の簀の子２，２と、折り畳み姿勢と使用姿勢とに姿勢変更自在に簀の子２，２を連結する連結部材３と、簀の子２，２が山形状となる傾斜姿勢を維持するために、一方の簀の子２の傾斜方向の所定位置と該他方の簀の子２の傾斜方向の所定位置とを連結する姿勢維持部材７とを備え、一端側が一方の簀の子２に連結された姿勢維持部材７の他端側に他方の簀の子２に備えている被係止部９に係止及び係止解除可能な係止部１０を備え、かつ上面側板部材４に上下方向に貫通する複数の通気孔２１を備えさせる。【選択図】図１
2010259817.tif 000002
【特許請求の範囲】
【請求項１】
ほぼ矩形状でほぼ同じ大きさの二枚の簀の子と、前記二枚の簀の子を重ね合わせて折り畳んだ折り畳み姿勢と該二枚の簀の子をほぼ水平に展開した使用姿勢とに姿勢変更自在に該二枚の簀の子を連結するための連結部材と、前記連結部材が上端に位置して二枚の簀の子が山形状となるように該簀の子のそれぞれを傾斜姿勢に維持するために、該一方の簀の子の傾斜方向の所定位置と該他方の簀の子の傾斜方向の所定位置とを連結する紐状若しくはベルト状の姿勢維持部材と、一端側が前記一方の簀の子に連結された前記姿勢維持部材の他端側に前記他方の簀の子に備えている被係止部に係止及び係止解除可能な係止部とを備え、かつ前記簀の子の上面を構成する複数の上面側板部材の少なくとも１つに上下方向に貫通する複数の通気孔を備えさせたことを特徴とする寝床用敷き板。
【請求項２】
前記通気孔を前記上面側板部材の上面側の第１孔と下面側の第２孔とにより構成するとともに、前記第１孔を前記上面側板部材の上下厚みの半分よりも上側の設定深さ位置までほぼ同一の大きさに、前記第２孔を前記第１孔よりも小さく形成、又は、前記通気孔を前記上面側板部材の上面から下端面側ほど小径となるテーパー状に形成してなる請求項１記載の寝床用敷き板。
【発明の詳細な説明】
【技術分野】
【０００１】
本願発明は、二枚の簀の子を床面に広げて設置し、それら簀の子の上に敷き布団を敷いて使用する寝床用敷き板に係わり、さらに詳しくは、二枚の簀の子からなる折り畳み可能でかつ通気性能のよい寝床用敷き板に関するものである。
【背景技術】
【０００２】
従来、就寝中の布団のムレなどを防止するために、敷き布団の下に簀の子を敷き、床面と敷き布団の間に空間を設けて通気性を良くし、安眠性を高めるようにしている。
【０００３】
そして、二枚の簀の子をヒンジで連結させた寝床用敷き板は、寝床用敷き板として使用するときには二枚の簀の子をヒンジを中心として展開して使用し、収納するときには前記ヒンジを中心に二枚の簀の子を折り畳んだ折り畳み姿勢に切り替えることができるようにしている。また、折り畳み姿勢の二枚の簀の子を、ヒンジを中心として回転させて、二枚の簀の子が山形状の傾斜姿勢を維持できるように４つの棒状部材が長方形状をなすように連結されてなる支持枠を該一方の簀の子に備えさせたものが既に提案されている。これは、前記ヒンジにて連結された簀の子のうちの一方の簀の子のヒンジ側とは反対側の端部に、前記長方形状の支持枠を構成する１つの棒状部材を枢支連結して、該支持枠全体を揺動可能に設けている。そして、前記山形状の傾斜姿勢にした二枚の簀の子のうちの支持枠が取り付けられていない側の簀の子の下端を、床面に接地するように水平姿勢に揺動した状態の前記支持枠にて載置支持すると同時に簀の子が開き側へ揺動されることを水平方向から支持枠との接当により阻止するようにして、二枚の簀の子が前記傾斜姿勢を維持できるようにしている。また、前記支持枠をそれが枢支連結されている側の簀の子の底面に揺動操作するための引っ張り用の紐の一端を該支持枠に貫通して連結すると共に、該紐の他端をヒンジに貫通して連結して、前記支持枠に載置している傾斜姿勢の一方の簀の子を上方に浮かせた状態にしてから、上端のヒンジに連結された紐を更に上方へ引っ張り操作することにより、支持枠を上方側へ揺動操作することによって、支持枠を簀の子の底面に位置させて、二枚の簀の子を折り畳み姿勢にすることができるようにしている（例えば、特許文献１参照。）。
【先行技術文献】
【特許文献】
【０００４】
【特許文献１】特開２００３−３３２５４号公報
【発明の概要】
【発明が解決しようとする課題】
【０００５】
二枚の簀の子をヒンジによって連結した寝床用敷き板は、ヒンジを中心に折り畳むことができ、家具と家具の間に収納したり、壁に立て掛けたりすることは可能であるが、折り畳んだ状態で姿勢維持するための手段を備えていないため、収納作業中に簀の子が展開してしまったり、壁などに立て掛けていた状態から展開するなどしていた。
また、傾斜姿勢の二枚の簀の子は、支持枠によって一方の簀の子の下端部を受け止めているだけの構造となっているため、寝床用敷き板に他物がぶつかるなどして、簀の子が浮き上がって簀の子の端部が支持枠から離脱し、二枚の簀の子が展開することなどがあった。
また、傾斜姿勢に維持された二枚の簀の子を折り畳み姿勢に姿勢変更するためには、前述のように傾斜姿勢の一方の簀の子を少し上方に浮かせた状態にしてから、簀の子の上端側にある紐を更に上方へ引っ張り操作しなければならず、折り畳み姿勢への姿勢変更のための操作が非常にやり難いものであった。
【０００６】
本願発明は、係る問題に鑑み、寝床用敷き板として使用しないときには山形状の傾斜姿勢や折り畳み姿勢に変更できるだけでなく、傾斜姿勢の寝床用敷き板の上に布団を載せて布団干しとして使用できるだけでなく、傾斜姿勢から折り畳み姿勢への姿勢変更のための操作を容易迅速に行うことができ、さらには人や物が該傾斜姿勢の寝床用敷き板にぶつかったときでも、傾斜姿勢を維持できる寝床用敷き板を提供することを目的とする。
【課題を解決するための手段】
【０００７】
本願発明に係る寝床用敷き板は、前述の課題解決のために、ほぼ矩形状でほぼ同じ大きさの二枚の簀の子と、前記二枚の簀の子を重ね合わせて折り畳んだ折り畳み姿勢と該二枚の簀の子をほぼ水平に展開した使用姿勢とに姿勢変更自在に該二枚の簀の子を連結するための連結部材と、前記連結部材が上端に位置して二枚の簀の子が山形状となるように該簀の子のそれぞれを傾斜姿勢に維持するために、該一方の簀の子の傾斜方向の所定位置と該他方の簀の子の傾斜方向の所定位置とを連結する紐状若しくはベルト状の姿勢維持部材と、一端側が前記一方の簀の子に連結された前記姿勢維持部材の他端側に前記他方の簀の子に備えている被係止部に係止及び係止解除可能な係止部とを備え、かつ前記簀の子の上面を構成する複数の上面側板部材の少なくとも１つに上下方向に貫通する複数の通気孔を備えさせたことを特徴とする。
したがって、二枚の簀の子をそれらの連結部材が上端になるように山形状の傾斜姿勢に変化させることができ、且つ姿勢維持部材によって二枚の簀の子の傾斜方向ほぼ中間位置同士を連結させることができ、傾斜姿勢を維持することができるようになる。さらに、簀の子に備えられた被係止部と、姿勢維持部材に備えられる係止部とが簀の子の傾斜方向ほぼ中間位置にて係止しているから、簀の子に人や物がぶつかるなどして簀の子が少し浮き上がったとしても容易に係止状態が解除できない構造となっている。さらに、上面側板部材には複数の通気孔を備えているので、布団を敷いて使用したときには、通気孔を通して布団と上面側板部材の接触部における通気を行うことが可能となる。
【０００８】
また、前記通気孔が、前記上面側板部材の下面に設けられた孔より、該上面側板部材の上面に設けられた孔を大きく構成してもよい。
【０００９】
また、前記折り畳み姿勢の二枚の簀の子を該姿勢に維持するために、前記姿勢維持部材の係止部よりも簀の子側部位に、前記被係止部に係止及び係止解除可能な折り畳み用係止部を備えさせてもよい。
【００１０】
また、前記連結部材が上端に位置して山形状となる傾斜姿勢に維持される二枚の簀の子又は前記連結部材が上端に位置して重ね合わせて折り畳んだ折り畳み姿勢に維持される二枚の簀の子の下端それぞれに、床面と接触して回転可能な移動用の回転体を備えさせてもよい。
【００１１】
また、前記簀の子が、複数の前記上面側板部材を、横幅方向に沿う姿勢でかつ横幅方向と直交する前後方向に所定間隔を置いてほぼ平行に配置し、これら上面側板部材の下面に前記前後方向に沿う姿勢でかつ前記横幅方向に該上面側板部材同士の所定間隔よりも大きな間隔で複数の下面側板部材を取り付けてなり、前記傾斜姿勢の二枚の簀の子それぞれの最下部に位置する上面側板部の長手方向において前記下面側板部材を外れる位置に、滑動用の布部材を巻き付けてもよい。
【００１２】
また、前記一方の簀の子を構成する下面側板部材の下面に、床面と接触して該簀の子を支持する短板状の足部材の複数を長手方向に沿って所定間隔を置いて取り付け、前記他方の簀の子を構成する下面側板部材の下面に、前記二枚の簀の子の折り畳み姿勢時に前記足部材と接当する位置に該足部材と同一の足部材を取り付けてもよい。
【００１３】
また、前記姿勢維持部材が帯状で可撓性を有するベルトからなり、前記被係止部が、前記簀の子を構成する前記特定の上面側板部材に、前記ベルトの横幅よりも狭い入口部を備え、かつ、該入口部から幅広となったベルト保持部とからなる切欠きが形成されてなり、前記係止部が、前記ベルト保持部を通過することができない大きさに構成されると共に前記ベルトに取り付けられた棒状部材から構成してもよい。
【発明の効果】
【００１４】
以上にしてなる本願発明に係る寝床用敷き板は、二枚の簀の子を姿勢維持部材を水平姿勢に展開したときには、通気性、吸湿性等に優れた簀の子状の寝床用敷き板として使用できる。また、姿勢維持部材によって二枚の簀の子を傾斜姿勢に維持することができるので、傾斜姿勢の寝床用敷き板の上に布団を載せても、使用姿勢に姿勢変更することなく布団干しとしても使用することができる。さらに、簀の子に備えられた被係止部と、姿勢維持部材に備えられる係止部とを簀の子の傾斜方向ほぼ中間位置にて係止及び係止解除するだけで、二枚の簀の子を傾斜姿勢や折り畳み姿勢に容易迅速に姿勢変更することができるだけでなく、簀の子に人や物がぶつかるなどしても容易に係止状態を解除できないようになり、操作性及び信頼性において優れたものにすることができる。
また、簀の子の上面側板部材には、複数の通気孔が備えられているので、この通気孔からの通気が可能となり布団からの湿気や熱などを放出しやすく、通気性の優れたものとすることができる。
【００１５】
また、通気孔の上面側の孔を下面側の孔よりも大きく構成することで、通気孔と布団との接触部分を大きくして通気性を向上するとともに、下面側の孔を上面側の孔よりも小さくすることで、板部材の強度を保持することができる。
【００１６】
また、姿勢維持部材の係止部よりも簀の子側に折り畳み用係止部を備えているので、この単一の姿勢維持部材によって二枚の簀の子を折り畳み姿勢と傾斜姿勢とに切り替えてその姿勢を維持することができるから、それらを別々の姿勢維持部材にて姿勢維持するように構成した場合に比べて、部材点数を削減することができ、コスト面において有利になる。
【００１７】
また、二枚の簀の子の下端のそれぞれに、床面と接触して回転可能な移動用の回転体を備えているので、傾斜姿勢や折り畳み姿勢にした状態で二枚の簀の子を移動させる場合に、寝床用敷き板を持ち上げたり、引きずることなく僅かな力で移動させることができ、寝床用敷き板を折り畳み姿勢にして収納するときや、寝床用敷き板を傾斜姿勢にして布団を載せて移動するときなどの作業を小さな操作力で容易に行うことができる。
【００１８】
傾斜姿勢に於ける二枚の簀の子の下端に位置する上面側板部材に複数の滑動用の布部材を備えさせているので、傾斜姿勢及び折り畳み姿勢のときの寝床用敷き板を移動するときに、床面との接触抵抗を小さくし滑りをよくし、ごく僅かな力で移動することができるようになる。また、床面と接触する部分に布部材を巻き付けているので、床面に傷を付けにくくなっている。特に、床面が接触抵抗の大きな絨毯や畳などを引きずりながら（滑らせながら）移動させる場合に有利である。
【００１９】
下面側板部材の下面に、複数の足部材を備えさせることによって、一本の長尺な下面側板部材を床面との高さ方向の厚みを所定厚みにする場合に比べて、材料を少なく済ませることができ、コスト面において有利になる。また、複数の足部材にて寝床用敷き板が接触する床面と下面側板部材との間に、多数の空間（隙間）を設けることができ、寝床用敷き板の長手方向だけでなく、短手方向への通気性も向上することができる。
【００２０】
上面側板部材に、姿勢維持部材のベルト横幅よりも狭い入口部を備え、且つ該入口部から幅広となったベルト保持部とからなる切欠きを形成し、係止部に備えられた棒状部材をこのベルト保持部の横幅より長く構成するだけで、係止部は被係止部から抜けることなく係止状態を維持することができ、特別な被係止部を備えさせるものに比べてコスト面において有利になる。また、姿勢維持部材が帯状で可撓性を有し、前記入口部の横幅よりも幅広に構成してなるので、手でこのベルトを撓ませて、入口部からベルト保持部に挿入させるだけで、該ベルトがベルト保持部に保持され係止状態を容易迅速に実現させることができる。また、傾斜姿勢を維持するだけでなく、回転体を使用して移動させたり、持ち運んだりするときでも係止状態を維持することができるので、作業中に係止状態が勝手に解除されることがない。
【図面の簡単な説明】
【００２１】
【図１】傾斜姿勢時の寝床用敷き板の斜視図である。
【図２】折り畳み姿勢時の寝床用敷き板の斜視図である。
【図３】使用姿勢の寝床用敷き板の正面図である。
【図４】使用姿勢の寝床用敷き板の背面図である。
【図５】寝床用敷き板の係止部及び被係止部付近を拡大した図である。
【図６】図６（ａ）は使用姿勢の寝床用敷き板の左側面図であり、図６（ｂ）は使用姿勢の寝床用敷き板の右側面図である。
【図７】使用姿勢の寝床用敷き板の平面図である。
【図８】図８（ａ）は、図３のＡ−Ａ断面図であり、図８（ｂ）は、図３のＡ−Ａ断面の拡大図であり、図８（ｃ）は、図３のＢ−Ｂ断面図である。
【図９】図９（ａ）は、傾斜姿勢時に於ける図３で示したＢ−Ｂ断面図であり、図９（ｂ）は、折り畳み姿勢時に於ける図３で示したＢ−Ｂ断面図である。
【図１０】別実施例に於ける使用姿勢の寝床用敷き板の正面図である。
【図１１】別実施例に於ける使用姿勢の寝床用敷き板の背面図である。
【発明を実施するための形態】
【００２２】
図１は、傾斜姿勢時の寝床用敷き板の斜視図であり、図２は、折り畳み姿勢時の寝床用敷き板の斜視図であり、図３は、２枚の簀の子を水平にしたときの寝床用敷き板の正面図であり、図４は、２枚の簀の子を水平にしたときの寝床用敷き板の背面図であり、図５は、寝床用敷き板の係止部及び被係止部付近を拡大した図であり、図６（ａ）は、２枚の簀の子を水平にしたときの寝床用敷き板の左側面図であり、図６（ｂ）は、２枚の簀の子を水平にしたときの寝床用敷き板の右側面図であり、図７は、２枚の簀の子を水平にしたときの寝床用敷き板の平面図であり、図８（ａ）は、図３のＡ−Ａ断面の断面図であり、図８（ｂ）は、図３のＡ−Ａ断面の拡大断面図であり、図８（ｃ）は、図３のＢ−Ｂ断面の断面図であり、図９（ａ）は、傾斜姿勢時に於ける図３で示したＢ−Ｂ断面の断面図であり、図９（ｂ）は、折り畳み姿勢時に於ける図３で示したＢ−Ｂ断面の断面図である。
【００２３】
本願発明に係る寝床用敷き板（以下、敷き板と称す。）１は、図３に示すように、ほぼ矩形状で且つほぼ同じ大きさの二枚の簀の子２，２を連結部材３で連結したものである。そして、該二枚の簀の子２，２をほぼ水平に展開した使用姿勢にしたときには、その上に敷き布団を敷いて使用する。また、図２に示すように、二枚の簀の子２，２の底面側同士を重ね合わせて折り畳んだ折り畳み姿勢に姿勢変更したときには、家具と家具の隙間などに収納したり、壁に立て掛ける等して、小さなスペースでも収納できる。また、図１に示すように、連結部材３を上端に位置させた二枚の簀の子２，２が山形状の傾斜姿勢に姿勢変更した場合には、山形状の敷き板１の上に図示していない布団を載せて布団干しとして使用することができるものである。よって、使用姿勢では、就寝時には通気性の良い（つまり、ムレが防止されている）敷き板１として使用できるだけでなく、簀の子２，２の通気性の良さを利用して傾斜姿勢では布団干しとして使用することができるものである。なお、図１又は図２では、簀の子２，２の底面側同士が向かい合うように折り畳まれているが、上面側同士が向かい合うようにすることもできる。
【００２４】
簀の子２は、図３及び図４に示すように、上面を構成する複数枚の上面側板部材４，…，４を、横幅方向（使用姿勢に於ける、敷き板１の短手方向）に沿う姿勢でかつ該横幅方向と直交する前後方向（使用姿勢に於ける、敷き板１の長手方向）に所定間隔を置いてほぼ並行に配置し、これらの上面側板部材４の下面に前記前後方向に沿う姿勢で且つ前記横幅方向に該上面側板部材４同士の所定間隔よりも大きな間隔で複数の下面側板部材５を取り付けている。また、前記上面側板部材４の上面は平面状の板部材であり、図１等に示すように、上面側板部材４と他の上面側板部材４との間の隙間は、該上面側板部材４の横幅（上面側板部材４の短手方向の長さ）に比べて小さくなるように配置されている。そして、前記上面側板部材４の多数を平行になるように配置したときも、それらによってできる簀の子２の上面は、ほぼ平面状になるように構成されている。また、前記下面側板部材５と他の下面側板部材５との間の間隔は、前記上面側板部材４と他の上面側板部材４との間にできる間隔に比べて大きくなっており、前記上面側板部材４と床面との間にできる空間を大きくすることによって、敷き板１の前後方向（長手方向）の通気性の向上を図っている。
【００２５】
なお、本実施例では、一枚の簀の子２は、１５枚の上面側板部材４，…，４、４枚の前記下面側板部材５，…，５を備えているが、上面側板部材４及び下面側板部材５の枚数はこれに限定されるものではない。また、前記上面側板部材４、及び下面側板部材５の材料としては、就寝時のムレ防止、つまり、通気性、吸湿性等の観点、さらには、敷き板１としての耐久性等の観点から木材を使用することが好ましいが、合成樹脂等の他の材料であってもよい。
【００２６】
前記上面側板部材４には、図３及び図４に示すように、上下方向に貫通した複数の通気孔２１が備えられている。この通気孔２１は、前記下面側板部材５が配置されていない位置で、前記上面側板部材４を貫通する孔である。通気孔２１，…，２１は、図１〜４に示しているように、上面側板部材４の長手方向に沿って２列ずつ配置しているが、上面側板部材４の短手方向の中央に１列の通気孔２１，…，２１を備えてもよいし、通気孔２１の大きさを小さくして長手方向に沿って３列以上の通気孔２１，…，２１を備えてもよい。なお、上面側板部材４に通気孔２１を備えると共に、その表面に僅かな凹部（溝部）（図示しない）を備えさせ通気性を向上させるようにしてもよい。前記凹部（溝部）は、上面側板部材４の長手方向や短手方向に沿って備えてもよいが、前記通気孔２１を中心とした放射状に備えてもよい。
【００２７】
前記通気孔２１は、図３〜５及び図８（ｂ）に示すように、上面側板部材４の上面側の第１孔２１ａの径を下面側の第２孔２１ｂの径より大きい孔にすることで、寝具と第１孔２１ａとの接触部分を大きくして通気性を向上させ、かつ、上面側板部材４の強度を維持している。そして、前記第１孔２１ａを、寝具の載置上面から前記上面側板部材４の上下厚みの半分よりも上側に位置する設定深さ位置までほぼ同一の大きさにて形成し、前記第２孔２１ｂを、前記第１孔２１ａの下端から該上面側板部材４の下端面までの範囲に該第１項２１ａよりも小さな寸法で、かつ、下端面側ほど小径となるテーパー状に形成した２つの孔から構成することによって、上面側板部材４の強度を維持することができるが、上面側板部材４の寝具の載置上面から下端面まで下端面側ほど小径となるテーパー状に形成された１つの孔から構成してもよい。なお、上面側板部材４の上面側と下面側とにほぼ同径の孔を設けて通気孔２１としてもよいし、この通気孔の形状としては、丸形以外の形状（矩形状、三角形状、五角以上の多角形状等）であってもよい。
【００２８】
前記連結部材３は、図４等に示すように、可撓性（柔軟性）を有する材料、例えば布（革、合成皮革、軟質合成樹脂等でもよい）からなるベルト状（帯状）の部材である。そして、敷き板１が使用姿勢のときに前記二枚の簀の子２，２が隣接している上面側板部材４ａの下面側に連結部材３の端部が固定部材６を介して釘又はビスなどによって固定され、使用姿勢、傾斜姿勢、折り畳み姿勢に姿勢変更可能にしている。
【００２９】
また、図１に示すように、前記傾斜姿勢において、一方の簀の子２の傾斜方向ほぼ中央位置と、他方の簀の子２の傾斜方向ほぼ中央位置を連結するベルト状（帯状）で可撓性（柔軟性）を有する姿勢維持部材７を前記敷き板１は備えており、該姿勢維持部材７によって、双方の簀の子２の傾斜方向ほぼ中間位置を連結して、前記傾斜姿勢を維持できるようになっている。
【００３０】
この姿勢維持部材７の一端は、図１及び図４等に示すように、一方の簀の子２の前記傾斜方向ほぼ中央に位置する上面側板部材４ｂの下面に姿勢維持用固定部材８を介して釘又はビスなどによって固定されている。そして、該姿勢維持部材７のもう一端は、他方の簀の子２の傾斜方向ほぼ中央に位置する上面側板部材４ｃに備えられた被係止部９に係止及び係止解除可能な係止部１０を備え、該係止部１０によって係止され、該二枚の簀の子２，２が水平に展開することを阻止している。なお、前記姿勢維持用固定部材８が固定される位置、及び前記被係止部９が備えられる位置は、傾斜方向のほぼ中央位置に限定するものではなく、これよりも上側及び下側の所定位置にあってもよい。しかし、前記係止部１０を被係止部９に係止及び係止解除の作業を行うときに、前記姿勢維持部材７がある程度の長さを有していた方が、該姿勢維持部材７の取り回しを容易に行うことができ、傾斜方向の上側に位置するよりも作業が容易にでき、且つ傾斜方向の下側に位置するとしゃがんだ状態で作業を行わなければならないため、ほぼ中央位置に姿勢維持用固定部材８が固定される位置及び前記被係止部９が備えられる位置を設定することが好ましい。
【００３１】
なお、前記姿勢維持部材７の一端を前記姿勢維持用固定部材８によって上面側板部材４ｂに固定せずに、姿勢維持部材７の両端に、前記係止部１０を備えさせ、且つ一方の簀の子２の上面側板部材４ｂ及び他方の簀の子２の上面側板部材４ｃの双方に前記被係止部９を備えさせて、二枚の簀の子２，２を連結させてもよい。
【００３２】
前記被係止部９は、図５に示すように、前記被係止部９を備える上面側板部材４ｃに、前記姿勢維持部材７のベルト１８の横幅１８Ｘよりも狭い入口部１６を備え、且つ該入口部１６から幅広となった小判形状の空間を有するベルト保持部１７とからなる切欠きによって構成されている。さらに、前記係止部１０は、前記ベルト保持部１７を通過することができない大きさに構成されると共に前記ベルト１８の先端部を巻き付けて折り返し、その折り返した先端を縫着して固定された抜け止め用の棒状部材１１（ベルト１８とは別の部材にて棒状部材１１を覆った状態にして該部材をベルト１８に縫着して固定してもよいし、接着剤などにより棒状部材１１をベルト１８に固定してもよい）からなる。つまり、前記棒状部材１１の横幅１１Ｘが前記ベルト保持部１７の横幅１７Ｘよりも大きい（図５参照）、又は前記棒状部材１１を備えた部分の係止部１０の直径寸法（角状部材の場合には、縦幅（高さ）になる）１０Ｙが前記ベルト保持部１７の縦幅１７Ｙよりも大きくなる、という条件の少なくとも一方を満たすように形成されている。したがって、前記係止部１０が被係止部９に係止されると、前記棒状部材１１の両端が被係止部９の両側に位置する上面側板部材４ｃ表面に接当すると共に、ベルト保持部１７にて前記ベルト１８が上方へ抜けることを阻止するため、確実に係止状態を確保することができる。また、可撓性（柔軟性）を有するベルト１８を手で丸める又は折り畳むようにして、前記入口部１６から離脱させることで、係止部１０を被係止部９から係止解除することができる。つまり、ベルト保持部１７に保持されているベルト１８を入口部１６を通して外部に移動させるためにベルト１８を手で丸めたり折り畳むなどすることで、姿勢維持部材７を容易に係止解除の状態とすることができ、且つ人や物が敷き板１にぶつかったときでも、ベルト１８が入口部１６を通過することができるように操作されない限り、前記係止部１０が被係止部９に係止しているので、傾斜姿勢が解除されて、二枚の簀の子２，２が展開して使用姿勢に姿勢変更することがない。
【００３３】
また、図２及び図９（ａ）、（ｂ）に示すように、前記姿勢維持部材７の前記係止部１０よりも簀の子２側の部位に、前記棒状部材１１とほぼ同じ大きさの棒状部材１９を備えた折り畳み用係止部２０を備えさせて、該折り畳み用係止部２０が前記被係止部９に係止及び係止解除可能に形成し、前記折り畳み姿勢を維持できるようにしている。これにより、図９（ｂ）に示す折り畳み姿勢の状態の敷き板１を移動（収納）するときでも、移動中に勝手に展開することがなく、移動作業を容易に行うことができる。前記棒状部材１９は、前記ベルト１８の途中部分を巻き付け、その巻き付け開始部と巻き付け終了部を縫着して固定する他、ベルト１８とは別の部材にて棒状部材１９を覆った状態にして該部材をベルト１８に縫着して固定してもよいし、接着剤などにより棒状部材１９をベルト１８に固定してもよい。また、折り畳んだ敷き板１を壁などに立て掛けている場合、敷き板１に人や物がぶつかったりしても、前記折り畳み用係止部２０と被係止部９とが確実に係止しているので、折り畳み姿勢が解除されて、二枚の簀の子２，２が展開して使用姿勢に姿勢変更することがない。
【００３４】
なお、図１及び図３等に示すように、前記上面側板部材４ｃの長手方向（簀の子２の横幅方向）の両端の２箇所に被係止部９をそれぞれ備えさせて、２箇所で姿勢維持部材７，７を係止できるようにしているが、どちらか一方のみ又は中央付近にのみ前記被係止部９を備えさせて、単一の姿勢維持部材７によって姿勢維持ができるようにしてもよい。
【００３５】
また、前記姿勢維持部材７に備えられている前記係止部１０と前記折り畳み用係止部２０との間に、該折り畳み用係止部２０とほぼ同じ形状の第二係止部（図示しない）を備えさせてもよい。この第二係止部を前記被係止部９に係止させることで、図１で示した傾斜姿勢よりも、前記簀の子２，２とによって作られる角度が小さい第二傾斜姿勢を維持させることもできる。このように第二係止部を前記係止部１０と前記折り畳み用係止部２０との間に単数若しくは複数備えさせて、使用者が所望する傾斜姿勢に姿勢変更することもできる。
【００３６】
なお、本実施例では図５等に示すように、前記姿勢維持部材７はベルト状の部材に棒状部材１１を備えた係止部１０から構成されているが、棒状部材のほぼ中央付近に紐状の部材（図示しない）の一端を結び付ける等して固定して構成してもよい。このように姿勢維持部材７を紐状の部材から構成する場合には、前記被係止部９の形状も前記上面側板部材４ｃにほぼ円形状（角形状でもよい）の貫通孔（図示しない）から構成することになる。この円形状の被係止部の貫通孔の直径は、前記棒状部材の直径よりも大きく且つ軸心方向の長さよりも小さい貫通孔に構成する。そして、円形状の貫通孔からなる被係止部に係止部（棒状部材）を係止するときには、該棒状部材の一端を前記円形状の貫通孔に挿入し、該棒状部材の全体を貫通させることによって、紐状の部材が貫通孔にて保持されると同時に該棒状部材の両端部が前記上面側板部材４ｃの表面に接当した状態になる。
【００３７】
また、図１に示すように、前記連結部材３が上端に位置する傾斜姿勢において、二枚の簀の子２，２の下端１２それぞれの左右幅方向両端に、床面と接触して回転可能な移動用の回転体１３をそれの一部が下方に突出する状態で備えさせている。前記回転体１３は、図１、図４、図９等に示すように、ローラー状（円柱状）の回転体であり、それぞれの簀の子２の下端１２に、二つの回転体１３が備えられている。この回転体１３の両端部は、前記下面側板部材５に枢設されている。したがって、移動するときに敷き板１を持ち上げたり、床面を引きずって移動させることなく、僅かな力で移動させることができるし、床面を傷つけることがない。なお、図２、図９（ｂ）に示すように、前記折り畳み姿勢の状態でも、回転体１３と床面が接触して、敷き板１を僅かな力でも移動できるようになっている。なお、本実施例で示した図では、ローラー状の回転体１３を用いているが、球状の回転体の複数を前記下端１２に備えさせてもよい。
【００３８】
また、前記二つの回転体１３を備えさせている場合であっても、敷き板１を移動させるときの姿勢によっては、例えば前記簀の子２，２の下端１２に位置する上面側板部材４ｄの一部を絨毯、畳等の床面（フローリングの床面に比べて接触抵抗が大きい床面）に接触させながら移動することがある。このような場合であっても、前記簀の子２，２の下端１２に位置する上面側板部材４ｄの長手方向において下面側板部材５を外れる位置に、滑動用の布部材１４の複数を巻き付けて、床面と簀の子２，２との摩擦抵抗を小さくし滑りをよくしておくことによって、敷き板１の移動中に例え前記上面側板部材４ｄが絨毯、畳に接触することがあっても、より小さな力で移動することができ、しかも絨毯、畳等の床面に傷が付きにくくできる。尚、二つの回転体１３を備えさせていない場合でも、前記布部材１４を備えさせておくことで、床面との摩擦抵抗を小さくすることができる。
【００３９】
また、前記使用姿勢において、前記下面側板部材５の下面に、床面と接触して該簀の子２を支持する短板状の足部材１５の複数を長手方向に沿って所定間隔を置いて取り付けている。そして、該足部材１５は、折り畳み姿勢時に、一方の簀の子２に取り付けられた足部材１５と、他の簀の子に備えられた前記足部材１５とが、接当するように取り付けれられている。このように、複数の足部材１５を前記下面側板部材５に備えさせることで、敷き板１が床面と接触する面積を小さくすることができる。つまり、敷き板１が接触する床面と前記下面側板部材５との間に、多数の空間（隙間）を設けることができ、敷き板１の長手方向だけでなく、短手方向への通気性を向上させることができる。
【００４０】
なお、前記一方の簀の子２に取り付けられている前記足部材１５と他方の簀の子２に取り付けられている前記足部材１５とが接当しないように、該足部材１５の取り付け位置をずらして、前記折り畳み姿勢時の敷き板１の厚さが、該足部材１５同士が接当するときに比べて、薄くなるようにして、収納スペースを小さくしてもよい。
また、前記使用姿勢において前記足部材１５が床面と接当する位置に緩衝材１５ａを備えさせて、フローリング等の床で使用しても床面に傷が付きにくくしてもよい。
【００４１】
また、図１０及び図１１に示すように、各上面側板部材４の下面のうち、それの横幅方向（使用姿勢に於ける、敷き板１の短手方向）で隣接する下面側板部材５，５の間のほぼ中央位置に足部材２２を設け、上面側板部材４を補強してもよい。この足部材２２の横幅方向の長さは、通気孔２１，２１間隔より短く、足部材２２によって前記通気孔２１を塞がないようになっている。また、足部材２２の前後方向（使用姿勢に於ける、敷き板１の長手方向）の長さは、前記上面側板部材４の短手方向の長さより短く（同一長さでもよい）、上面側板部材４と他の上面側板部材４とによって構成される隙間部分の通気性を維持しながら、上面側板部材４の補強を行うことができる。前記足部材２２は、全ての上面側板部材４の下面に設けるほか、特定の上面側板部材４にのみ足部材２２を設けてもよい。
【符号の説明】
【００４２】
１  床用敷き板
２  簀の子
３  連結部材
４，４ａ，４ｂ，４ｃ，４ｄ  上面側板部材
５  下面側板部材
６  固定部材
７  姿勢維持部材
８  姿勢維持用固定部材
９  被係止部
１０  係止部
１１  棒状部材
１１Ｘ  棒状部材の横幅
１２  下端
１３  回転体
１４  布部材
１５  足部材
１５ａ  緩衝材
１６  入口部
１７  ベルト保持部
１７Ｘ  ベルト保持部の横幅
１７Ｙ  ベルト保持部の縦幅
１８  ベルト
１８Ｘ  ベルトの横幅
１９  棒状部材
２０  折り畳み用係止部
２１  通気孔
２１ａ  第１孔
２１ｂ  第２孔
２２  足部材
【図１】
2010259817.tif 000003
【図２】
2010259817.tif 000004
【図３】
2010259817.tif 000005
【図４】
2010259817.tif 000006
【図５】
2010259817.tif 000007
【図６】
2010259817.tif 000008
【図７】
2010259817.tif 000009
【図８】
2010259817.tif 000010
【図９】
2010259817.tif 000011
【図１０】
2010259817.tif 000012
【図１１】
2010259817.tif 000013